(57)【特許請求の範囲】
【請求項１】
上面が開口したバケツ本体(1) と、該バケツ本体(1) に回動自在且つ起伏状態を選択できるよう設けられた把手(20)とからなる釣り用バケツであって、前記バケツ本体(1) の側壁(2, …) には可撓性を有する帯状部材(11)を折り返して重ね合わせた端部(11a) の内面を固着して環状部(12)が形成されてなり、且つ前記把手(20)には端部に前記環状部(12)に挿着される軸部(23)が形成されてなり、前記把手(20)には、軸部(23)の両端より上方に突設された柱部(24,24) と、該柱部(24,24) を連結する連結部(25)とが形成されてなり、且つ該連結部(25)は把手(20)を下方に回動せしめた際に帯状部材(11)の端縁を覆うように設けられてなることを特徴とする釣り用バケツ。
【発明の詳細な説明】
【０００１】
【発明の属する技術分野】
本願発明は、把手付きの釣り用バケツに関するものであり、例えば、魚釣りに際して餌等を収納せしめるための釣り餌用バケツに適したものである。
【０００２】
【従来の技術】
この種の釣り用バケツにあって、把手を起き上がった状態及び垂れ下がった状態とを選択できるものとして、実開平６−７２３７７号公報所載のものが公知である。
該公報所載の釣り用バケツは、バケツ本体の外側面に沿って設けた軸にＵ字状の把手をその環状部を差し込んで回動自在に取りつけ、把手の環状部は軸に対して上下動可能に係合してなるものであり、該環状部を軸に対して下げられると環状部がバケツ本体に当接して把手が起き上がった状態となり、環状部が軸に対して上げられると把手が外側に回動して垂れ下がるものである。
【０００３】
【発明が解決しようとする課題】
しかしながら、該公報所載の釣り用バケツにあっては、帯状の把手の端部を軸の外側から内側に折り返して、この折り返した端部をバケツ本体の側壁と軸との間を挿通せしめて、その端部と把手の中途部とをリベット止めにより止めて環状部が形成されてなるので、この端部と重合した把手との間に溝が形成されてしまい、該溝に釣糸が引っ掛かりやすいという問題を有していた。特に、釣りを行っている際に把手は邪魔とならないように下方に垂れ下げているため、この状態で釣糸が把手に沿ってスライドすると、前記環状部の溝に釣糸が引っ掛かるという問題を有していた。
【０００４】
さらに、バケツ本体の軸を把手の環状部の回動を許容するようにバケツ本体の側壁より一定距離離間して設ける必要があり、この距離を広くとりすぎるとバケツ本体から側方に軸が突出して邪魔となり且つ軸に対して下げた環状部が的確にバケツ本体の側面に当接しなくなるという問題があり、一方距離を狭くしすぎると軸に対して上げられた環状部を回動する際に回動し難く、しかも製造時にこの間を把手の端部を挿着せしめる作業が煩雑であるという問題を有していた。
【０００５】
また、上記公報所載のバケツを製造するにあっては、バケツ本体に側壁より一定距離離間した位置で軸を形成せしめておき、環状部が形成されていない把手の端部をバケツ本体の軸に挿着して上方に折り返して、この折り返した端部を把手の中途部と位置合わせをして所望の環状部の大きさを選定した後に、該把手の中途部と端部とを固定した状態でリベット止めをして環状部を形成する必要があった。
このように把手の中途部と端部とを位置合わせして環状部の所望大きさを決定すること、並びに不安定な把手の中途部と端部と固定する必要があることは、その製造作業上煩雑であった。
【０００６】
そこで、本願発明は、このような問題を解決すべくなされたものであり、本願発明の第一の課題は、所望に応じて把手を起き上がった状態及び垂れ下がった状態とを選択でき、釣りをしている際に釣糸が引っ掛かることがなく、しかも製造が容易な釣り用バケツを提供することにある。
【０００８】
【課題を解決するための手段】
本願発明は、上記第一の課題を解決すべくなされたものであり、本願発明に係る釣り用バケツにあっては、上面が開口したバケツ本体1 と、該バケツ本体1 に回動自在且つ起伏状態を選択できるよう設けられた把手20とからなる釣り用バケツであって、前記バケツ本体1 の側壁2,…には可撓性を有する帯状部材11を折り返して重ね合わせた端部11a の内面を固着して環状部12が形成されてなり、且つ前記把手20には端部に前記環状部12に挿着される軸部23が形成されてなることを特徴とする。
【０００９】
本願発明に係る釣り用バケツにあっては、把手20を上方に持ち上げることにより把手20の軸部23を環状部12の上方側に移動せしめて、該環状部12内で把手20を回動せしめることができ、把手20を下方側に回動せしめることで把手20を倒した状態にすることができる。一方、把手20を上方に持ち上げた後にそのまま下方側に下げることにより、軸部23が環状部12を形成する帯状部材11の端部11a （帯状部材11の固定部分）側に移動して、把手20の起立状態が得られる。
また、本願発明に係る釣り用バケツにあっては、把手20には従来例の如き溝が形成されていないので、把手20に釣糸が引っ掛かることを防止し得る。
【００１０】
また、本願発明に係る釣り用バケツは、前記把手20には、軸部23の両端より上方に突設された柱部24,24 と、該柱部24,24 を連結する連結部25とが形成されてなり、且つ該連結部は把手20を下方に回動せしめた際に帯状部材11の端縁を覆うように設けられてなる構成を採用することができる。
【００１１】
該構成からなる釣り用バケツにあっては、内面同士が固着された帯状部材11の端部11a により溝が形成されていても、把手20を倒した状態で連結部25によって該溝は覆われることとなり、把手20を倒して釣りを行っていても該溝に釣糸が引っ掛かることを確実に防止できる。
【００１４】
【発明の実施の形態】
本発明の一実施の形態について以下説明するが、まず本実施形態の釣り餌用バケツの構成について図１乃至図３を参酌しつつ説明する。
【００１５】
図１において、１は上面が開口し正面壁2 、背面壁3 、両側壁4,4 、底壁5 により有底の方形状に形成されたバケツ本体である。なお、該バケツ本体1 には、上面開口部を開閉可能な蓋体（図示せず）が設けられている。
【００１６】
該バケツ本体1 の各壁2,…は、可撓性及び非浸水性を有する合成樹脂シートが縫製等されて形成されてなる。なお、蓋体も可撓性及び非浸水性を有する合成樹脂シートから構成されてなる。
【００１７】
また、該バケツ本体1 の正面壁2 及び背面壁3 には、後述する把手20を取付けるための取付具10が夫々固着されている。
【００１８】
該取付具10には、両側に帯状部材11から環状部12が形成されている。該帯状部材11は布状の部材からなり、該帯状部材11の端部11a,11a は図３に示すように内面同士が重ね合わされた状態で前記取付具10にリベット13によって止められ固着されており、該帯状部材11の上方に向けられた中途部によって前記環状部12が形成されている。なお、該前記取付具10は、合成樹脂の成形品からなる。
【００１９】
また、図中20は、バケツ本体1 の取付具10に夫々取付けられた把手である。
該把手20は、断面円形状で全体として正面視略倒コの字状の把手本体21と、該把手本体21の両端部に一体的に成形された被取付部22,22 とからなる。
【００２０】
該被取付部22は、図２及び図３に示す如く、前記環状部12に挿着される軸部23と、該軸部23の両端より上方に突設された柱部24,24 と、この柱部24同士及び前記把手本体21の端部に連結された連結部25とから構成されてなる。
【００２１】
該軸部23は、図３（イ）に示す如く、把手20を下方に押し下げた状態で、環状部12を形成する帯状部材11の端部11a （帯状部材11の固定部分）側に移動し、把手20の起立状態が得られ、しかも図３（ロ）に示す如く把手20を上方に持ち上げた状態で環状部12で回動自在で、且つ図３（ハ）に示す如く把手20を下方側に回動せしめることで、把手20を倒した状態にすることができるよう構成されている。
【００２２】
また、前記連結部25は、図３（ハ）に示すように、把手20を下方に回動せしめた際に帯状部材11の端部11a の外側面と若干重なり、該端縁を覆うように設けられてなる。
【００２３】
本実施形態の釣り餌用バケツは、上記構成からなるが、次に、該釣り餌用バケツの製造方法について説明する。
【００２４】
まず、可撓性及び非浸水性を有する合成樹脂シートを縫製して、上面が開口し正面壁2 、背面壁3 、両側壁4,4 、底壁5 による有底の方形状にバケツ本体1 を形成せしめ、該バケツ本体1 の正面壁2 及び背面壁3 に取付具10を夫々固着せしめる。そして、該取付具10に、図４（イ）に示す如く、所定長に切断された帯状部材11の一端部11a を取付具10に仮着する。
【００２５】
一方、図４（ロ）に示す如く、正面視略倒コの字状の把手本体21と、該把手本体21の両端部の被取付部22,22 とを一体成形して、把手20を形成せしめる。
【００２６】
そして、図５に示す如く、被取付部22の軸部23、両柱部24,24 、連結部25の間に、帯状部材11の他端部11a （仮着された端部11a の反対の端部）を挿通せしめて、該帯状部材11を折り返し、帯状部材11の端縁同士を揃えて、該端部11a,11a をその内面同士が重ね合わされた状態で図３に示す如くリベット13により取付具10に固定する。
以上のようにして、本実施形態の釣り用バケツは製造することができる。
【００２７】
本実施形態は上記構成からなるので、以下の利点を有する。
つまり、本実施形態の釣り餌用バケツは、持ち運ぶに際しては、図３（ロ）に示すように把手20を上方に回動せしめて、起き上がった状態の正面側及び背面側の把手20,20 を挟持して、運搬することができ、所望の位置（釣り場）まで運搬した後に、把手20を下方に押し下げるか或いは下方側に回動せしめるかにより、把手20の起伏状態を選択することができる。
【００２８】
また、本実施形態の釣り餌用バケツにあっては、把手20には従来例の如き溝が存在しないので、釣糸が把手20に引っ掛かる等の問題を防止できるという利点を有する。
【００２９】
さらに、把手20を倒した状態で釣りを行っても、帯状部材11の端縁は連結部25によって覆われているので、帯状部材11の端縁間に釣糸が引っ掛かることを確実に防止でき、特に、連結部25が帯状部材11の端部11a の外側面と重なるように設けられているので、より確実に釣糸の引っ掛かりを防止できるという利点を有する。
【００３０】
また、上記製造方法により製造できるため、その製造が簡易に行い得るという利点を有する。
つまり、帯状部材11の長さを所定長に選定しておき、該帯状部材11を折り返して端縁同士を揃えて固着することで環状部12が形成されるので、従来例の如く環状部12の大きさに合わせて位置決めを行う必要がない。
【００３１】
また、帯状部材11の端部11a をリベット止めによってバケツ本体1 の取付具10に固着せしめるものゆえ、従来例の如く不安定な状態の把手の端部と中途部とをリベット止めする場合に比して、その作業が容易で、且つ固着作業を確実に行いうるので、その固着強度に優れるという利点を有する。
【００３２】
なお、本実施形態は、上記構成から上述の利点を有するものであったが、本発明は、上記実施形態の具体的構成に限定されるものではない。
【００３３】
つまり、上記実施形態においては、把手20を一体成形により形成するものについて説明したが、本発明はこれに限定されるものではなく、例えば、把手本体21と被取付部22とを別体で形成することも可能である。
【００３４】
また、本発明において、把手20の連結部25等は必須の要件ではなく、把手20の端部に環状部12に挿着される軸部23が形成されてなるものであれば適宜設計変更可能である。但し、把手20には下方に回動せしめた際に帯状部材11の端縁を覆う連結部25が設けられてなることが好ましい。なお、この釣り用バケツにあっても、上記実施形態の如く連結部25が帯状部材11の端部11a の外側面と重なるように設けられていることは必須の要件ではなく、釣糸が引っ掛からないように帯状部材11の端縁を覆うものであれば、例えば連結部25が端縁と接触しないものであっても、帯状部材11の端縁よりも下方に位置するものであっても、本発明の意図する範囲内である。
【００３５】
さらに、上記実施形態においては帯状部材11の一端部11a を仮着した後に、他端部11a とリベット止めしてなるものについて説明したが、本発明の固定方法はこの方法に限定されるものではなく、別体の帯状部材11を被取付部22に挿着し、該帯状部材11の端部11a,11a 同士を重ね合わせた後に、この端部11a,11a をリベット止め等によりバケツ本体1 に固定するものであっても本発明の意図する範囲である。
【００３６】
また、上記実施形態においては、帯状部材11の端部11a,11a 同士が端縁を引き揃えた状態で固着されてなるものについて説明したが、折り返された帯状部材11の端部11a を固着して環状部12を形成するものであれば、本発明の意図する範囲である。
【００３７】
また、帯状部材11の素材も上記実施形態のものに限定されるものではなく、可撓性を有する合成樹脂製のシートより形成しても良く、さらには取付具10と一体に成形されてなるものであっても本発明の意図する範囲内である。
【００３８】
【発明の効果】
以上の如く、本発明に係る釣り用バケツは、バケツ本体の側壁に帯状部材から環状部が形成され、且つ把手の端部に軸部が形成されてなるものゆえ、把手の起伏状態を適宜選択でき、しかも従来例の如き溝が把手に形成されていないので、釣糸が把手に引っ掛かることを的確に防止できるという効果を有するとともに、従来例の如く軸部をバケツ本体の側壁から所望距離離間せしめて形成したり、把手に環状部を形成せしめる必要がなく、帯状部材を折り返してその端部をバケツ本体にリベット止め等によって固着せしめることで容易に把手をバケツ本体に取付けることができるという効果を奏する。
【００３９】
また、内面が固着された帯状部材の端縁により溝が形成されていても、把手を倒した状態で連結部によって該溝は覆われるので、把手を倒して釣りを行っていても該溝に釣糸が引っ掛かることを確実に防止できるという効果を有する。
【図面の簡単な説明】
【図１】本発明に係る釣り用バケツの一実施形態であって、（イ）は正面図、（ロ）は側面図を示す。
【図２】同実施形態の要部拡大正面図。
【図３】同実施形態の要部拡大断面側面図であって、（イ）は把手の起立状態で、（ロ）は把手を持ち上げた状態で、（ハ）は把手を倒した状態を示す。
【図４】同実施形態の製造方法における説明図であって、（イ）は把手が取付けられていないバケツ本体の正面図で、（ハ）はバケツ本体に取付けられていない把手の正面図を示す。
【図５】同実施形態の製造方法において被取付部に帯状部材が挿着された状態を示す説明図であって、（イ）は要部拡大正面図、（ロ）は要部拡大断面側面図を示す。
【符号の説明】
１…バケツ本体、２…正面壁、３…背面壁、４…側壁、５…底壁、10…取付具、11…帯状部材、11a …端部、12…環状部、20…把手、21…把手本体、22…被取付部、23…軸部、24…柱部、25…連結部
【図１】
0003839151.tif 000002
【図２】
0003839151.tif 000003
【図３】
0003839151.tif 000004
【図４】
0003839151.tif 000005
【図５】
0003839151.tif 000006